(57)【要約】【課題】  スクラップブックの作製者が印刷物を台紙に貼り付けやすい順に、オブジェクトを印刷させる印刷データを作成する印刷データ編集装置、及び、印刷データ編集プログラムを提供する。【解決手段】  スクラップブッキング編集ウィンドウでは、スクラップブックの完成品をイメージしつつ、写真オブジェクト、文字オブジェクト、イラストオブジェクト、その他オブジェクトを編集する。印刷が指示されると印刷方法選択画面２００が表示され、オブジェクトの印刷順を選択できる。「オブジェクト種類」では写真、文字、イラスト、その他の順で印刷される。「位置」では左上に近いオブジェクトから順に印刷される。「サイズ」ではサイズの大きいオブジェクトから順に印刷される。「重なり」では階層の低いものから順に印刷される。「選択オブジェクト」で指定されたオブジェクトのみが印刷される。【選択図】  図６
2006101390.tif 000002
【特許請求の範囲】
【請求項１】
写真が貼り付けられる台紙に、文字、絵、模様などの印刷された印刷物や、リボン、紐、紙、布、フィルム、ボタン、スパンコール、ビーズ、造花、思い出の品などの台紙に貼り付けることが可能な素材を貼り付けたり、前記台紙に文字、絵、模様などを描き込んだり、スタンプしたりして、前記写真を引き立たせるように飾り付けるスクラップブッキングに使用する、前記写真や前記印刷物の印刷データを編集する印刷データ編集装置において、
印刷される写真、文字、絵、模様などである印刷オブジェクトを編集する印刷オブジェクト編集手段と、
前記印刷オブジェクト編集手段により編集された前記印刷オブジェクトの印刷を行う際に、スクラップブックを作製する作製者が印刷された前記印刷オブジェクトを前記台紙に貼り付けやすい順に印刷するように指示を行う印刷指示手段と、
当該印刷指示手段により貼り付けやすい順に印刷させる指示が行われた場合に、前記印刷オブジェクトの印刷順序を決定する印刷順序決定手段と、
当該印刷順序決定手段により決定された印刷順序で印刷オブジェクトの印刷データを作成する印刷データ作成手段とを備えたことを特徴とする印刷データ編集装置。
【請求項２】
印刷順序決定手段は、前記印刷オブジェクトの種類に応じて印刷の順序を決定することを特徴とする請求項１に記載の印刷データ編集装置。
【請求項３】
前記印刷オブジェクトの種類は、少なくとも写真及び写真以外の２つの種類を持ち、
前記印刷順序決定手段は、前記写真の印刷順序を最初とすることを特徴とする請求項２に記載の印刷データ編集装置。
【請求項４】
前記印刷オブジェクト編集手段は、前記印刷オブジェクトの前記台紙に対する貼り付け位置を示す位置情報を指定する位置指定手段を備えており、
前記印刷順序決定手段は、前記位置指定手段により指定された前記位置情報に基づいて印刷順序を決定することを特徴とする請求項１に記載の印刷データ編集装置。
【請求項５】
前記印刷オブジェクト編集手段は、前記印刷オブジェクトの印刷サイズを指定する印刷サイズ指定手段を備えており、
前記印刷順序決定手段は、前記印刷サイズ指定手段により指定された前記印刷サイズの大きい順に印刷順序を決定することを特徴とする請求項１に記載の印刷データ編集装置。
【請求項６】
前記印刷オブジェクト編集手段は、前記印刷オブジェクトが前記台紙上に重なりをもって配置される際の、重なりの順を示す階層情報を指定する階層指定手段を備えており、
前記印刷順序決定手段は、前記階層指定手段により前記印刷オブジェクトの重なりが下に指定されている前記印刷オブジェクトから順に印刷するように印刷順序を決定することを特徴とする請求項１に記載の印刷データ編集装置。
【請求項７】
前記印刷指示手段は、前記印刷順序決定手段により前記印刷オブジェクトの印刷順序を決定する際に、
前記印刷オブジェクトの種類に応じて印刷順序を決定するか、
前記印刷オブジェクトの印刷位置情報に基づいて印刷順序を決定するか、
前記印刷オブジェクトの印刷サイズに基づいて印刷順序を決定するか、及び、
前記印刷オブジェクトの重なりの順に基づいて印刷順序を決定するかのうちの少なくとも１つのどの基準に基づいて印刷順序の決定を行うかを指示することにより、前記作製者が貼り付けを行いやすい順に印刷させる指示を行うことを特徴とする請求項１乃至６のいずれかに記載の印刷データ編集装置。
【請求項８】
前記印刷オブジェクト編集手段において前記印刷オブジェクトの編集を行う際に、否印刷物であり、前記写真や前記印刷物と共に前記台紙に貼り付けられる前記素材のイメージの編集を行う否印刷物編集手段を備え、
前記印刷順序決定手段は、前記否印刷物編集手段で編集された前記否印刷物の印刷順序を最後とすることを特徴とする請求項１乃至７のいずれかに記載の印刷データ編集装置。
【請求項９】
前記印刷オブジェクト編集手段において前記印刷オブジェクトの編集を行う際に、否印刷物であり、前記写真や前記印刷物と共に前記台紙に貼り付けられる前記素材のイメージの編集を行う否印刷物編集手段と、
前記否印刷物編集手段で編集された前記否印刷物の印刷データを前記印刷データ作成手段で作成させない印刷データ否作成手段とを備えたことを特徴とする請求項１乃至７のいずれかに記載の印刷データ編集装置。
【請求項１０】
前記印刷オブジェクト編集手段において前記印刷オブジェクトの編集を行う際に、否印刷物であり、前記写真や前記印刷物と共に前記台紙に貼り付けられる前記素材のイメージの編集を行う否印刷物編集手段を備え、
前記印刷データ作成手段は、前記否印刷物編集手段で編集された前記否印刷物の印刷データを前記写真や他の前記印刷物と容易に識別可能な様態の印刷データとすることを特徴とする請求項１乃至７のいずれかに記載の印刷データ編集装置。
【請求項１１】
写真が貼り付けられる台紙に、文字、絵、模様などの印刷された印刷物や、リボン、紐、紙、布、フィルム、ボタン、スパンコール、ビーズ、造花、思い出の品などの台紙に貼り付けることが可能な素材を前記台紙に貼り付けたり、前記台紙に文字、絵、模様などを描き込んだり、スタンプしたりして、前記写真を引き立たせるように飾り付けるスクラップブッキングにおいて、前記写真や前記印刷物の印刷データを編集する処理をコンピュータに実行させるための印刷データ編集プログラムにおいて、
印刷される写真、文字、絵、模様などである印刷オブジェクトを編集する印刷オブジェクト編集ステップと、
当該印刷オブジェクト編集ステップにより編集された前記印刷オブジェクトの印刷を行う際に、スクラップブックを作製する作製者が印刷された前記印刷オブジェクトを前記台紙に貼り付けやすい順に印刷する指示を行う印刷指示ステップと、
当該印刷指示ステップにより貼り付けやすい順に印刷させる指示が行われた場合に、前記印刷オブジェクトの印刷順序を決定する印刷順序決定ステップと、
当該印刷順序決定ステップにより決定された印刷順序で印刷オブジェクトの印刷データを作成する印刷データ作成ステップとを備えたことを特徴とする印刷データ編集プログラム。
【請求項１２】
印刷順序決定ステップは、前記印刷オブジェクトの種類に応じて印刷の順序を決定することを特徴とする請求項１１に記載の印刷データ編集プログラム。
【請求項１３】
前記印刷オブジェクトの種類は、少なくとも写真及び写真以外の２つの種類を持ち、
前記印刷順序決定ステップは、前記写真の印刷順序を最初とすることを特徴とする請求項１２に記載の印刷データ編集プログラム。
【請求項１４】
前記印刷オブジェクト編集ステップは、前記印刷オブジェクトの前記台紙に対する貼り付け位置を示す位置情報を指定する位置指定ステップを備えており、
前記印刷順序決定ステップは、前記位置指定ステップにより指定された前記印刷オブジェクトの位置情報に基づいて印刷順序を決定することを特徴とする請求項１１に記載の印刷データ編集プログラム。
【請求項１５】
前記印刷オブジェクト編集ステップは、前記印刷オブジェクトの印刷サイズを指定する印刷サイズ指定ステップを備えており、
前記印刷順序決定ステップは、前記印刷サイズ指定手段により指定された前記印刷サイズの大きい順に印刷順序を決定することを特徴とする請求項１１に記載の印刷データ編集プログラム。
【請求項１６】
前記印刷オブジェクト編集ステップは、前記印刷オブジェクトが前記台紙上に重なりをもって配置される際の、重なりの順を示す階層情報を指定する階層指定ステップを備えており、
前記印刷順序決定ステップは、前記階層指定ステップにより前記印刷オブジェクトの重なりが下に指定されている前記印刷オブジェクトから順に印刷するように印刷順序を決定することを特徴とする請求項１１に記載の印刷データ編集プログラム。
【請求項１７】
前記印刷指示ステップは、前記印刷順序決定ステップにより前記印刷オブジェクトの印刷順序を決定する際に、
前記印刷オブジェクトの種類に応じて印刷順序を決定するか、
前記印刷オブジェクトの印刷位置情報に基づいて印刷順序を決定するか、
前記印刷オブジェクトの印刷サイズに基づいて印刷順序を決定するか、及び、
前記印刷オブジェクトの重なりの順に基づいて印刷順序を決定するかのうちの少なくとも１つのどの基準に基づいて印刷順序の決定を行うかを指示することにより、前記作製者が貼り付けを行いやすい順に印刷させる指示を行うことを特徴とする請求項１１乃至１６のいずれかに記載の印刷データ編集プログラム。
【請求項１８】
前記印刷オブジェクト編集ステップにおいて前記印刷オブジェクトの編集を行う際に、否印刷物であり、前記写真や前記印刷物と共に前記台紙に貼り付けられる前記素材のイメージの編集を行う否印刷物編集ステップを備え、
前記印刷順序決定ステップは、前記否印刷物編集ステップで編集された前記否印刷物の印刷順序を最後とすることを特徴とする請求項１１乃至１７のいずれかに記載の印刷データ編集プログラム。
【請求項１９】
前記印刷オブジェクト編集ステップにおいて前記印刷オブジェクトの編集を行う際に、否印刷物であり、前記写真や前記印刷物と共に前記台紙に貼り付けられる前記素材のイメージの編集を行う否印刷物編集ステップと、
前記否印刷物編集ステップで編集された前記否印刷物の印刷データを前記印刷データ作成ステップで作成させない印刷データ否作成ステップとを備えたことを特徴とする請求項１１乃至１７のいずれかに記載の印刷データ編集プログラム。
【請求項２０】
前記印刷オブジェクト編集ステップにおいて前記印刷オブジェクトの編集を行う際に、否印刷物であり、前記写真や前記印刷物と共に前記台紙に貼り付けられる前記素材のイメージの編集を行う否印刷物編集ステップを備え、
前記印刷データ作成ステップは、前記否印刷物編集ステップで編集された前記否印刷物の印刷データを他の前記印刷物と容易に識別可能な様態の印刷データとすることを特徴とする請求項１１乃至１７のいずれかに記載の印刷データ編集プログラム。
【発明の詳細な説明】
【技術分野】
【０００１】
本発明は、印刷データ編集装置及び印刷データ編集プログラムに関するものであり、詳細には、スクラップブッキングで使用されるオブジェクトを編集する印刷データ編集装置及び印刷データ編集プログラムに関する。
【背景技術】
【０００２】
昨今、非特許文献１に紹介されているような「スクラップブッキング」というホビーが楽しまれている。このスクラップブッキングは、従来のようにアルバムにただ写真を並べて貼り付けるだけではなく、テーマ付けを行い、そのテーマに沿った写真を台紙に様々な手法で飾り付けて楽しむものである。写真を貼り付ける際にも、マット付け（写真よりも大きなサイズの紙の上に写真をはる。これにより、写真の縁取り装飾ができる。）をしたり、円やハート型など好みの形状にカットしたりして、様々な工夫を凝らして飾り付ける。
【０００３】
また、スクラップブッキングでは、写真の他にそのページのテーマ、テーマに関するジャーナル（日付やエピソード、感想などの記録）を貼り付ける。これらのテーマやジャーナルは、手描きで描き込んだり、スタンプを使用したり、ワープロで編集された文字を印刷したものを貼り込んだりする。また、紐などで文字をかたどったり、切り絵のように文字を切り抜かれたりしたものを貼り込むような趣向を凝らしたりもする。また、文字による装飾以外にも、様々な模様や素材の紙を様々な形にカットして、台紙の背景を飾りつけたり、イラストを加えたり、テーマにまつわる思い出の品そのものを貼り付けたりすることもある。このような装飾の方法やデザインは作製者の工夫のしどころであり、スクラップブッキングの楽しみの１つでもある。
【０００４】
このようなスクラップブッキングを行う中で、フィルム写真でなくデジタルカメラの画像データが使用されることも多い。デジタル画像データによる写真は、パソコンを使用して画像処理ソフトなどで加工し、より多彩な装飾を写真に施すことができる。また、ワープロソフトなどを使用して様々な字体の文字でテーマやジャーナルを作成することもできる。尚、画像処理ソフトやワープロソフトなどでは、通常、作成者は所望する印刷物の完成品のイメージを画面上で編集しており、印刷が実行された場合には、通常、画面上で編集したイメージがそのまま印刷される。また、文字や画像等のオブジェクトを選択して印刷を指示すれば、選択されたオブジェクトのみ印刷されるという機能を持つ画像処理ソフトやワープロソフトもあるが、あくまでも選択されているオブジェクトが印刷されるのみである。
【０００５】
また、デジタルカメラで撮影された写真を加工せずに印刷するような場合には、デジタルカメラをプリンタに直接接続したり、デジタルデータが記憶された記憶媒体をプリンタに読み込ませたりして、デジタルデータを印刷する場合がある。こういった場合に、印刷された写真から望む写真を見つけ出しやすくするために、デジタルカメラで撮影された画像を日付順に印刷させるような画像データ処理装置及び画像記録装置が提案されている（例えば、特許文献１参照）。
【０００６】
【非特許文献１】久米英美子著「大好き！  スクラップブッキング」学陽出版、２００４年２月２５日、Ｐ．２，Ｐ．８−１７，Ｐ．５８−６１
【特許文献１】特開２００１−１１１９２８号公報
【発明の開示】
【発明が解決しようとする課題】
【０００７】
スクラップブッキングでは、写真やジャーナルなどを１つずつ夫々貼り重ねてゆく、そして、その重なりの質感も装飾の一種となる。しかしながら、画像処理ソフトやワープロソフトでは、スクラップブッキングの完成品（スクラップブックと称する）をイメージしてオブジェクトの編集を行うと、その全体が印刷されてしまう。よって、オブジェクトを重ねて配置したイメージを作成してしまうと、重なった状態の印刷物が作成されてしまう。つまり、１つ１つのオブジェクトを実際に重ね合わせることができないという問題点が発生する。
【０００８】
そこで、スクラップブックのイメージ全体を一度に印刷するのではなく、オブジェクトを１つ１つ指定して印刷を行い、それらの印刷物を整理して台紙に貼り合わせてゆくという方法が考えられる。また、スクラップブックのイメージを編集するのではなく、作製したいオブジェクト１つ１つ編集して一度に印刷するという方法も考えられる。しかしながら、前者の場合には、オブジェクトを１つ１つ指定するという手間が発生する。また、どのオブジェクトを印刷し、どのオブジェクトはまだ印刷指定をしていないかの管理が煩雑となる場合がある。また、後者の場合にはスクラップブックのイメージを浮かべにくく、またオブジェクト同士のサイズ関係も把握しにくいという問題点がある。
【０００９】
また、特許文献１に記載の発明では、撮影された画像を日付順に印刷させているが、スクラップブッキングで使用される画像の場合には、その画像やオブジェクトの日付順や作成順に印刷されてもあまり意味を成さない。
【００１０】
また、スクラップブッキングでは、印刷されたもの以外にも現物を貼り付けたりもするため、スクラップブックのイメージを編集する際の画面上では類似したオブジェクトを表示させたいという要望もある。しかしながら、このようなオブジェクトの実際の印刷物は不要である。
【００１１】
本発明は、上述の問題点を解決するためになされたものであり、スクラップブックを作製する作製者が印刷物を台紙に貼り付けやすい順に、オブジェクトを印刷させる印刷データを作成する印刷データ編集装置、及び、コンピュータに印刷データを作成させる印刷データ編集プログラムを提供しようとするものである。
【課題を解決するための手段】
【００１２】
上記課題を解決するため、請求項１に係る発明の印刷データ編集装置では、写真が貼り付けられる台紙に、文字、絵、模様などの印刷された印刷物や、リボン、紐、紙、布、フィルム、ボタン、スパンコール、ビーズ、造花、思い出の品などの台紙に貼り付けることが可能な素材を貼り付けたり、前記台紙に文字、絵、模様などを描き込んだり、スタンプしたりして、前記写真を引き立たせるように飾り付けるスクラップブッキングに使用する、前記写真や前記印刷物の印刷データを編集する印刷データ編集装置において、印刷される写真、文字、絵、模様などである印刷オブジェクトを編集する印刷オブジェクト編集手段と、前記印刷オブジェクト編集手段により編集された前記印刷オブジェクトの印刷を行う際に、スクラップブックを作製する作製者が印刷された前記印刷オブジェクトを前記台紙に貼り付けやすい順に印刷するように指示を行う印刷指示手段と、当該印刷指示手段により貼り付けやすい順に印刷させる指示が行われた場合に、前記印刷オブジェクトの印刷順序を決定する印刷順序決定手段と、当該印刷順序決定手段により決定された印刷順序で印刷オブジェクトの印刷データを作成する印刷データ作成手段とを備えたことを特徴とする構成となっている。
【００１３】
また、請求項２に係る発明の印刷データ編集装置では、請求項１に記載の発明の構成に加えて、印刷順序決定手段は、前記印刷オブジェクトの種類に応じて印刷の順序を決定することを特徴とする構成となっている。
【００１４】
また、請求項３に係る発明の印刷データ編集装置では、請求項２に記載の発明の構成に加えて、前記印刷オブジェクトの種類は、少なくとも写真及び写真以外の２つの種類を持ち、前記印刷順序決定手段は、前記写真の印刷順序を最初とすることを特徴とする構成となっている。
【００１５】
また、請求項４に係る発明の印刷データ編集装置では、請求項１に記載の発明の構成に加えて、前記印刷オブジェクト編集手段は、前記印刷オブジェクトの前記台紙に対する貼り付け位置を示す位置情報を指定する位置指定手段を備えており、前記印刷順序決定手段は、前記位置指定手段により指定された前記位置情報に基づいて印刷順序を決定することを特徴とする構成となっている。
【００１６】
また、請求項５に係る発明の印刷データ編集装置では、請求項１に記載の発明の構成に加えて、前記印刷オブジェクト編集手段は、前記印刷オブジェクトの印刷サイズを指定する印刷サイズ指定手段を備えており、前記印刷順序決定手段は、前記印刷サイズ指定手段により指定された前記印刷サイズの大きい順に印刷順序を決定することを特徴とする構成となっている。
【００１７】
また、請求項６に係る発明の印刷データ編集装置では、請求項１に記載の発明の構成に加えて、前記印刷オブジェクト編集手段は、前記印刷オブジェクトが前記台紙上に重なりをもって配置される際の、重なりの順を示す階層情報を指定する階層指定手段を備えており、前記印刷順序決定手段は、前記階層指定手段により前記印刷オブジェクトの重なりが下に指定されている前記印刷オブジェクトから順に印刷するように印刷順序を決定することを特徴とする構成となっている。
【００１８】
また、請求項７に係る発明の印刷データ編集装置では、請求項１乃至６のいずれかに記載の発明の構成に加えて、前記印刷指示手段は、前記印刷順序決定手段により前記印刷オブジェクトの印刷順序を決定する際に、前記印刷オブジェクトの種類に応じて印刷順序を決定するか、前記印刷オブジェクトの印刷位置情報に基づいて印刷順序を決定するか、前記印刷オブジェクトの印刷サイズに基づいて印刷順序を決定するか、及び、前記印刷オブジェクトの重なりの順に基づいて印刷順序を決定するかのうちの少なくとも１つのどの基準に基づいて印刷順序の決定を行うかを指示することにより、前記作製者が貼り付けを行いやすい順に印刷させる指示を行うことを特徴とする構成となっている。
【００１９】
また、請求項８に係る発明の印刷データ編集装置では、請求項１乃至７のいずれかに記載の発明の構成に加えて、前記印刷オブジェクト編集手段において前記印刷オブジェクトの編集を行う際に、否印刷物であり、前記写真や前記印刷物と共に前記台紙に貼り付けられる前記素材のイメージの編集を行う否印刷物編集手段を備え、前記印刷順序決定手段は、前記否印刷物編集手段で編集された前記否印刷物の印刷順序を最後とすることを特徴とする構成となっている。
【００２０】
また、請求項９に係る発明の印刷データ編集装置では、請求項１乃至７のいずれかに記載の発明の構成に加えて、前記印刷オブジェクト編集手段において前記印刷オブジェクトの編集を行う際に、否印刷物であり、前記写真や前記印刷物と共に前記台紙に貼り付けられる前記素材のイメージの編集を行う否印刷物編集手段と、前記否印刷物編集手段で編集された前記否印刷物の印刷データを前記印刷データ作成手段で作成させない印刷データ否作成手段とを備えたことを特徴とする構成となっている。
【００２１】
また、請求項１０に係る発明の印刷データ編集装置では、請求項１乃至７のいずれかに記載の発明の構成に加えて、前記印刷オブジェクト編集手段において前記印刷オブジェクトの編集を行う際に、否印刷物であり、前記写真や前記印刷物と共に前記台紙に貼り付けられる前記素材のイメージの編集を行う否印刷物編集手段を備え、前記印刷データ作成手段は、前記否印刷物編集手段で編集された前記否印刷物の印刷データを前記写真や他の前記印刷物と容易に識別可能な様態の印刷データとすることを特徴とする構成となっている。
【００２２】
また、請求項１１に係る発明の印刷データ編集プログラムでは、写真が貼り付けられる台紙に、文字、絵、模様などの印刷された印刷物や、リボン、紐、紙、布、フィルム、ボタン、スパンコール、ビーズ、造花、思い出の品などの台紙に貼り付けることが可能な素材を前記台紙に貼り付けたり、前記台紙に文字、絵、模様などを描き込んだり、スタンプしたりして、前記写真を引き立たせるように飾り付けるスクラップブッキングにおいて、前記写真や前記印刷物の印刷データを編集する処理をコンピュータに実行させるための印刷データ編集プログラムにおいて、印刷される写真、文字、絵、模様などである印刷オブジェクトを編集する印刷オブジェクト編集ステップと、当該印刷オブジェクト編集ステップにより編集された前記印刷オブジェクトの印刷を行う際に、スクラップブックを作製する作製者が印刷された前記印刷オブジェクトを前記台紙に貼り付けやすい順に印刷する指示を行う印刷指示ステップと、当該印刷指示ステップにより貼り付けやすい順に印刷させる指示が行われた場合に、前記印刷オブジェクトの印刷順序を決定する印刷順序決定ステップと、当該印刷順序決定ステップにより決定された印刷順序で印刷オブジェクトの印刷データを作成する印刷データ作成ステップとを備えたことを特徴とする構成となっている。
【００２３】
また、請求項１２に係る発明の印刷データ編集プログラムでは、請求項１１に記載の発明の構成に加えて、印刷順序決定ステップは、前記印刷オブジェクトの種類に応じて印刷の順序を決定することを特徴とする構成となっている。
【００２４】
また、請求項１３に係る発明の印刷データ編集プログラムでは、請求項１２に記載の前記印刷オブジェクトの種類は、少なくとも写真及び写真以外の２つの種類を持ち、前記印刷順序決定ステップは、前記写真の印刷順序を最初とすることを特徴とする構成となっている。
【００２５】
また、請求項１４に係る発明の印刷データ編集プログラムでは、請求項１１に記載の発明の構成に加えて、前記印刷オブジェクト編集ステップは、前記印刷オブジェクトの前記台紙に対する貼り付け位置を示す位置情報を指定する位置指定ステップを備えており、前記印刷順序決定ステップは、前記位置指定ステップにより指定された前記印刷オブジェクトの位置情報に基づいて印刷順序を決定することを特徴とする構成となっている。
【００２６】
また、請求項１５に係る発明の印刷データ編集プログラムでは、請求項１１に記載の発明の構成に加えて、前記印刷オブジェクト編集ステップは、前記印刷オブジェクトの印刷サイズを指定する印刷サイズ指定ステップを備えており、前記印刷順序決定ステップは、前記印刷サイズ指定手段により指定された前記印刷サイズの大きい順に印刷順序を決定することを特徴とする構成となっている。
【００２７】
また、請求項１６に係る発明の印刷データ編集プログラムでは、請求項１１に記載の発明の構成に加えて、前記印刷オブジェクト編集ステップは、前記印刷オブジェクトが前記台紙上に重なりをもって配置される際の、重なりの順を示す階層情報を指定する階層指定ステップを備えており、前記印刷順序決定ステップは、前記階層指定ステップにより前記印刷オブジェクトの重なりが下に指定されている前記印刷オブジェクトから順に印刷するように印刷順序を決定することを特徴とする構成となっている。
【００２８】
また、請求項１７に係る発明の印刷データ編集プログラムでは、請求項１１乃至１６のいずれかに記載の発明の構成に加えて、前記印刷指示ステップは、前記印刷順序決定ステップにより前記印刷オブジェクトの印刷順序を決定する際に、前記印刷オブジェクトの種類に応じて印刷順序を決定するか、前記印刷オブジェクトの印刷位置情報に基づいて印刷順序を決定するか、前記印刷オブジェクトの印刷サイズに基づいて印刷順序を決定するか、及び、前記印刷オブジェクトの重なりの順に基づいて印刷順序を決定するかのうちの少なくとも１つのどの基準に基づいて印刷順序の決定を行うかを指示することにより、前記作製者が貼り付けを行いやすい順に印刷させる指示を行うことを特徴とする構成となっている。
【００２９】
また、請求項１８に係る発明の印刷データ編集プログラムでは、請求項１１乃至１７のいずれかに記載の発明の構成に加えて、前記印刷オブジェクト編集ステップにおいて前記印刷オブジェクトの編集を行う際に、否印刷物であり、前記写真や前記印刷物と共に前記台紙に貼り付けられる前記素材のイメージの編集を行う否印刷物編集ステップを備え、前記印刷順序決定ステップは、前記否印刷物編集ステップで編集された前記否印刷物の印刷順序を最後とすることを特徴とする構成となっている。
【００３０】
また、請求項１９に係る発明の印刷データ編集プログラムでは、請求項１１乃至１７のいずれかに記載の発明の構成に加えて、前記印刷オブジェクト編集ステップにおいて前記印刷オブジェクトの編集を行う際に、否印刷物であり、前記写真や前記印刷物と共に前記台紙に貼り付けられる前記素材のイメージの編集を行う否印刷物編集ステップと、前記否印刷物編集ステップで編集された前記否印刷物の印刷データを前記印刷データ作成ステップで作成させない印刷データ否作成ステップとを備えたことを特徴とする構成となっている。
【００３１】
また、請求項２０に係る発明の印刷データ編集プログラムでは、請求項１１乃至１７のいずれかに記載の発明の構成に加えて、前記印刷オブジェクト編集ステップにおいて前記印刷オブジェクトの編集を行う際に、否印刷物であり、前記写真や前記印刷物と共に前記台紙に貼り付けられる前記素材のイメージの編集を行う否印刷物編集ステップを備え、前記印刷データ作成ステップは、前記否印刷物編集ステップで編集された前記否印刷物の印刷データを他の前記印刷物と容易に識別可能な様態の印刷データとすることを特徴とする構成となっている。
【発明の効果】
【００３２】
請求項１に係る発明の印刷データ編集装置では、印刷オブジェクト編集手段は、印刷される写真、文字、絵、模様などである印刷オブジェクトを編集し、印刷指示手段は、印刷オブジェクト編集手段により編集された印刷オブジェクトの印刷を行う際に、スクラップブックを作製する作製者が印刷された印刷オブジェクトを台紙に貼り付けやすい順に印刷するように指示を行い、印刷順序決定手段は、印刷指示手段により貼り付けやすい順に印刷させる指示が行われた場合に、印刷オブジェクトの印刷順序を決定し、印刷データ作成手段は、印刷順序決定手段により決定された印刷順序で印刷オブジェクトの印刷データを作成することができる。したがって、スクラップブッキングする際に、貼りやすい順に印刷オブジェクトが印刷されてくるので、作製者は印刷されたものから順に台紙に貼り付けることができ、すべての印刷オブジェクトの印刷終了を待つことなくスクラップブッキングを進めることができる。
【００３３】
また、請求項２に係る発明の印刷データ編集装置では、請求項１に記載の発明の効果に加えて、印刷順序決定手段は印刷オブジェクトの種類に応じて印刷の順序を決定することができる。したがって、同じ種類のオブジェクトがまとまって印刷されるので、台紙に這いつける印刷オブジェクトを扱いやすい。
【００３４】
また、請求項３に係る発明の印刷データ編集装置では、請求項２に記載の発明の効果に加えて、印刷オブジェクトの種類は少なくとも写真及び写真以外の２つの種類を持ち、印刷順序決定手段は写真の印刷順序を最初とすることができる。したがって、スクラップブッキングの中心となる写真が最初に印刷されるので、最初にスクラップブック全体のイメージを掴みやすい。
【００３５】
また、請求項４に係る発明の印刷データ編集装置では、請求項１に記載の発明の効果に加えて、印刷オブジェクト編集手段に備えられた位置指定手段は、印刷オブジェクトの台紙に対する貼り付け位置を示す位置情報を指定することができ、印刷順序決定手段は位置指定手段により指定された位置情報に基づいて印刷順序を決定することができる。したがって、例えば、左上から順に印刷したり、中心から印刷したりすることができるので、印刷オブジェクトがどの位置に貼り付けるものであるかがわかりやすい。
【００３６】
また、請求項５に係る発明の印刷データ編集装置では、請求項１に記載の発明の効果に加えて、印刷オブジェクト編集手段に備えられた印刷サイズ指定手段は、印刷オブジェクトの印刷サイズを指定することができ、印刷順序決定手段は印刷サイズ指定手段により指定された印刷サイズの大きい順に印刷順序を決定することができる。したがって、大きなものから順に配置することができるので、スクラップブック全体のイメージが掴みやすい。
【００３７】
また、請求項６に係る発明の印刷データ編集装置では、請求項１に記載の発明の効果に加えて、印刷オブジェクト編集手段に備えられた階層指定手段は、印刷オブジェクトが台紙上に重なりをもって配置される際の、重なりの順を示す階層情報を指定することができ、印刷順序決定手段は階層指定手段により印刷オブジェクトの重なりが下に指定されている印刷オブジェクトから順に印刷するように印刷順序を決定することができる。したがって、先に台紙に貼り付けるべき印刷オブジェクトから印刷されるので、貼り付け作業がスムーズに進行する。
【００３８】
また、請求項７に係る発明の印刷データ編集装置では、請求項１乃至６のいずれかに記載の発明の効果に加えて、印刷指示手段は、印刷順序決定手段により印刷オブジェクトの印刷順序を決定する際に、印刷オブジェクトの種類に応じて印刷順序を決定するか、印刷オブジェクトの印刷位置情報に基づいて印刷順序を決定するか、印刷オブジェクトの印刷サイズに基づいて印刷順序を決定するか、及び、印刷オブジェクトの重なりの順に基づいて印刷順序を決定するかのうちの少なくとも１つのどの基準に基づいて印刷順序の決定を行うかを指示することにより、作製者が貼り付けを行いやすい順に印刷させる指示を行う。したがって、作製者の好みの順で印刷を行うことができる。
【００３９】
また、請求項８に係る発明の印刷データ編集装置では、請求項１乃至７のいずれかに記載の発明の効果に加えて、否印刷物編集手段は、印刷オブジェクト編集手段において印刷オブジェクトの編集を行う際に、否印刷物であり、写真や印刷物と共に台紙に貼り付けられる素材のイメージの編集を行うことができ、印刷順序決定手段は否印刷物編集手段で編集された否印刷物の印刷順序を最後とすることができる。したがって、現物のイメージを印刷した印刷オブジェクトが最後にまとまって印刷されるので、現物を貼り付ける場所に、その現物のイメージを印刷した印刷オブジェクトを誤って貼ってしまうことを回避することができる。また、印刷の途中で印刷動作を停止させれば、イメージの印刷オブジェクトを打ち出してしまうことがないので、誤ってイメージの印刷オブジェクトを貼ってしまうことを回避することができる。また、印刷動作を途中で停止させれば、被印刷媒体の無駄を省くことができる。
【００４０】
また、請求項９に係る発明の印刷データ編集装置では、請求項１乃至７のいずれかに記載の発明の効果に加えて、否印刷物編集手段は、印刷オブジェクト編集手段において印刷オブジェクトの編集を行う際に、否印刷物であり、写真や印刷物と共に台紙に貼り付けられる素材のイメージの編集を行うことができ、印刷データ否作成手段は、否印刷物編集手段で編集された否印刷物の印刷データを印刷データ作成手段で作成させないようにできる。したがって、現物のイメージを印刷した印刷オブジェクトは印刷されないので、現物を貼る位置に、誤ってイメージの印刷オブジェクトを貼ってしまうことがない。
【００４１】
また、請求項１０に係る発明の印刷データ編集装置では、請求項１乃至７のいずれかに記載の発明の効果に加えて、否印刷物編集手段は、印刷オブジェクト編集手段において印刷オブジェクトの編集を行う際に、否印刷物であり、写真や印刷物と共に台紙に貼り付けられる素材のイメージの編集を行うことができ、印刷データ作成手段は、否印刷物編集手段で編集された否印刷物の印刷データを写真や他の印刷物と容易に識別可能な様態の印刷データとして作成することができる。したがって、現物のイメージを印刷した印刷オブジェクトが、例えば、色をワントーンにする、派手な色にする、暗い色にする、薄い色にする、「×」や「サンプル」といったメッセージを目立つように大きく印刷するなど他の印刷物と容易に識別可能な様態で印刷されるので、現物を貼り付ける場所に、その現物のイメージを印刷した印刷オブジェクトを誤って貼ってしまうことを回避することができ、また、現物を貼り忘れることがない。
【００４２】
また、請求項１１に係る発明の印刷データ編集プログラムでは、コンピュータに、印刷される写真、文字、絵、模様などである印刷オブジェクトを編集する印刷オブジェクト編集ステップと、当該印刷オブジェクト編集ステップにより編集された印刷オブジェクトの印刷を行う際に、スクラップブックを作製する作製者が印刷された印刷オブジェクトを台紙に貼り付けやすい順に印刷する指示を行う印刷指示ステップと、印刷指示ステップにより貼り付けやすい順に印刷させる指示が行われた場合に、印刷オブジェクトの印刷順序を決定する印刷順序決定ステップと、印刷順序決定ステップにより決定された印刷順序で印刷オブジェクトの印刷データを作成する印刷データ作成ステップとを実行させることができる。したがって、スクラップブッキングする際に、貼りやすい順に印刷オブジェクトが印刷されてくるので、作製者は印刷されたものから順に台紙に貼り付けることができ、すべての印刷オブジェクトの印刷終了を待つことなくスクラップブッキングを進めることができる。
【００４３】
また、請求項１２に係る発明の印刷データ編集プログラムでは、請求項１１に記載の発明の効果に加えて、コンピュータに、印刷オブジェクトの種類に応じて印刷の順序を決定させる印刷順序決定ステップを実行させることができる。したがって、同じ種類のオブジェクトがまとまって印刷されるので、台紙に貼りつける印刷オブジェクトを扱いやすい。
【００４４】
また、請求項１３に係る発明の印刷データ編集プログラムでは、請求項１２に記載の発明の効果に加えて、印刷オブジェクトの種類を、少なくとも写真及び写真以外の２つの種類を持つコンピュータに、写真の印刷順序を最初とさせる印刷順序決定ステップを実行させることができる。したがって、スクラップブッキングの中心となる写真が最初に印刷されるので、最初にスクラップブック全体のイメージを掴みやすい。
【００４５】
また、請求項１４に係る発明の印刷データ編集プログラムでは、請求項１１に記載の発明の効果に加えて、コンピュータに、印刷オブジェクトの台紙に対する貼り付け位置を示す位置情報を指定する位置指定ステップを印刷オブジェクト編集ステップとして実行させ、さらに、位置指定ステップにより指定された印刷オブジェクトの位置情報に基づいて印刷順序を決定する印刷順序決定ステップを実行させることができる。したがって、例えば、左上から順に印刷したり、中心から印刷したりすることができるので、印刷オブジェクトがどの位置に貼り付けるものであるかがわかりやすい。
【００４６】
また、請求項１５に係る発明の印刷データ編集プログラムでは、請求項１１に記載の発明の効果に加えて、コンピュータに、印刷オブジェクトの印刷サイズを指定する印刷サイズ指定ステップを印刷オブジェクト編集ステップとして実行させ、さらに、印刷サイズ指定手段により指定された印刷サイズの大きい順に印刷順序を決定する印刷順序決定ステップを実行させることができる。したがって、大きなものから順に配置することができるので、スクラップブック全体のイメージが掴みやすい。
【００４７】
また、請求項１６に係る発明の印刷データ編集プログラムでは、請求項１１に記載の発明の効果に加えて、コンピュータに、印刷オブジェクトが台紙上に重なりをもって配置される際の、重なりの順を示す階層情報を指定する階層指定ステップを印刷オブジェクト編集ステップとして実行させ、さらに、階層指定ステップにより印刷オブジェクトの重なりが下に指定されている印刷オブジェクトから順に印刷するように印刷順序を決定する印刷順序決定ステップを実行させることができる。したがって、先に台紙に貼り付けるべき印刷オブジェクトから印刷されるので、貼り付け作業がスムーズに進行する。
【００４８】
また、請求項１７に係る発明の印刷データ編集プログラムでは、請求項１１乃至１６のいずれかに記載の発明の効果に加えて、コンピュータに、印刷順序決定ステップとして印刷オブジェクトの印刷順序を決定させる際に、印刷オブジェクトの種類に応じて印刷順序を決定するか、印刷オブジェクトの印刷位置情報に基づいて印刷順序を決定するか、印刷オブジェクトの印刷サイズに基づいて印刷順序を決定するか、及び、印刷オブジェクトの重なりの順に基づいて印刷順序を決定するかのうちの少なくとも１つのどの基準に基づいて印刷順序の決定を行うかを指示する印刷指示ステップを実行させて、作製者が貼り付けを行いやすい順に印刷させる指示を行うことができる。したがって、作製者の好みの順で印刷を行うことができる。
【００４９】
また、請求項１８に係る発明の印刷データ編集プログラムでは、請求項１１乃至１７のいずれかに記載の発明の効果に加えて、コンピュータに、印刷オブジェクト編集ステップにおいて印刷オブジェクトの編集を行う際に、否印刷物であり、写真や印刷物と共に台紙に貼り付けられる素材のイメージの編集を行う否印刷物編集ステップを実行させ、さらに、否印刷物編集ステップで編集された否印刷物の印刷順序を最後とする印刷順序決定ステップを実行させることができる。したがって、現物のイメージを印刷した印刷オブジェクトが最後にまとまって印刷されるので、現物を貼り付ける場所に、その現物のイメージを印刷した印刷オブジェクトを誤って貼ってしまうことを回避することができる。また、印刷の途中で印刷動作を停止させれば、イメージの印刷オブジェクトを打ち出してしまうことがないので、誤ってイメージの印刷オブジェクトを貼ってしまうことを回避することができる。また、印刷動作を途中で停止させれば、被印刷媒体の無駄を省くことができる。
【００５０】
また、請求項１９に係る発明の印刷データ編集プログラムでは、請求項１１乃至１７のいずれかに記載の発明の効果に加えて、コンピュータに、印刷オブジェクト編集ステップにおいて印刷オブジェクトの編集を行う際に、否印刷物であり、写真や印刷物と共に台紙に貼り付けられる素材のイメージの編集を行う否印刷物編集ステップと、否印刷物編集ステップで編集された否印刷物の印刷データを印刷データ作成ステップで作成させない印刷データ否作成ステップとを実行させることができる。したがって、現物のイメージを印刷した印刷オブジェクトは印刷されないので、現物を貼る位置に、誤ってイメージの印刷オブジェクトを貼ってしまうことがない。
【００５１】
また、請求項２０に係る発明の印刷データ編集プログラムでは、請求項１１乃至１７のいずれかに記載の発明の効果に加えて、コンピュータに、印刷オブジェクト編集ステップにおいて印刷オブジェクトの編集を行う際に、否印刷物であり、写真や印刷物と共に台紙に貼り付けられる素材のイメージの編集を行う否印刷物編集ステップを実行させ、さらに、否印刷物編集ステップで編集された否印刷物の印刷データを他の印刷物と容易に識別可能な様態の印刷データとする印刷データ作成ステップを実行させることができる。したがって、現物のイメージを印刷した印刷オブジェクトが、例えば、色をワントーンにする、派手な色にする、暗い色にする、薄い色にする、「×」や「サンプル」といったメッセージを目立つように大きく印刷するなど他の印刷物と容易に識別可能な様態で印刷されるので、現物を貼り付ける場所に、その現物のイメージを印刷した印刷オブジェクトを誤って貼ってしまうことを回避することができ、また、現物を貼り忘れることがない。
【発明を実施するための最良の形態】
【００５２】
以下、本発明の実施の形態を図面を参照して説明する。図１は、本発明の印刷データ編集プログラムを搭載した、印刷データ編集装置１の電気的構成を示すブロック図である。図１に示すように、印刷データ編集装置１には、印刷データ編集装置１の制御を司るＣＰＵ１０が設けられ、ＣＰＵ１０には、各種のデータを一時的に記憶するＲＡＭ１１と、ＢＩＯＳ等を記憶したＲＯＭ１２と、データの受け渡しの仲介を行うＩ／Ｏインタフェイス１３とが接続されている。Ｉ／Ｏインタフェイス１３には、ハードディスク装置１８が接続され、当該ハードディスク装置１８には、オブジェクト情報記憶エリア１８０と、印刷データ記憶エリア１８１と、サンプルオブジェクト記憶エリア１８２と、オブジェクト種類テーブル記憶エリア１８３と、プログラム記憶エリア１８４と、その他の情報記憶エリア１８５とが設けられている。
【００５３】
尚、オブジェクト情報記憶エリア１８０には、編集画面上で編集されている印刷オブジェクトの種々の属性が記憶されている。印刷データ記憶エリア１８１には、印刷指令が成された際にプリンタに送信される印刷データが記憶される。サンプルオブジェクト記憶エリア１８２には、スクラップブッキングにおいて現物が貼り付けられる場合に、その現物の代用として編集画面上に表示されるその他オブジェクトのサンプル画像が記憶されている。オブジェクト種類テーブル記憶エリア１８３には、印刷データ編集プログラムで使用される印刷オブジェクトの種類が記憶されている。プログラム記憶エリア１８４にはＣＰＵ１０で実行される印刷データ編集プログラムが記憶されており、その他の情報記憶エリア１８５には、印刷データ編集装置１で使用されるその他の情報が記憶されている。
【００５４】
また、Ｉ／Ｏインタフェイス１３には、マウス３３と、ビデオコントローラ１４と、キーコントローラ１５と、ＣＤ−ＲＯＭドライブ１６と、ＦＤドライブ１７とが接続され、ビデオコントローラ１４にはディスプレイ３４が接続され、キーコントローラ１５にはキーボード３５が接続されている。なお、ＣＤ−ＲＯＭドライブ１６に挿入されるＣＤ−ＲＯＭ３６には、印刷データ編集プログラムが記憶されており、導入時に、印刷データ編集プログラムは、ＣＤ−ＲＯＭ３６からハードディスク装置１８にセットアップされてプログラム記憶エリア１８４に記憶されるようになっている。また、ＦＤドライブ１７では、フレキシブルディスク（以下、ＦＤとする）３７の読み取りや書き込みが可能となっている。また、Ｉ／Ｏインタフェイス１３には、プリンタ２が接続されており、本発明の印刷データ編集プログラムで作成された印刷データを印刷することができる。
【００５５】
尚、印刷データ編集プログラムは、ＣＤ−ＲＯＭ３６から印刷データ編集装置１へ導入するのではなく、ＦＤ３７から導入してもよく、また、ＤＶＤ等他の記憶媒体を読み取るドライブを接続して、それらの記憶媒体から導入するようにしてもよい。また、印刷データ編集装置１をＬＡＮやインターネットに接続し、他のコンピュータからネットワークを介して導入してもよい。また、図１において、プリンタ２は印刷データ編集装置１に直接接続しているが、これはネットワークを介して接続したプリンタであっても良いことはいうまでもない。また、プリンタ２は連続用紙を印刷するものであっても、カット用紙を印刷するものであってもよく、被印刷媒体は紙に限らず、シールやテープであってもよい。
【００５６】
次に、図２を参照して、印刷データ編集プログラムにおいて表示され、スクラップブックの完成品をイメージしつつ、スクラップブックに貼り付けるための印刷物の編集を行うスクラップブッキング編集ウィンドウ１００について説明する。図２は、スクラップブッキング編集ウィンドウ１００のイメージ図である。
【００５７】
図２に示すように、スクラップブッキング編集ウィンドウ１００では、「ファイル」、「編集」、「挿入」、「書式」、「ツール」、「ウィンドウ」、「ヘルプ」といった操作指示を行うためのツールバー１０２がウィンドウ上部に表示されており、スクラップブッキング編集ウィンドウ１００のほとんどを占める作業領域１０３には、スクラップブックの完成品のイメージであるスクラップブックイメージ１０１が表示されている。ツールバー１０２の各メニューをマウス３３やキーボード３５を操作することにより、印刷データ編集プログラムに対して種々の指示を与える。
【００５８】
ここで、スクラップブックイメージ１０１、図３及び図４を参照して、本実施の形態で扱われる印刷オブジェクトの種類について説明する。図３は、ハードディスク装置１８のオブジェクト種類テーブル記憶エリア１８３の構成を示す模式図であり、図４は、その他オブジェクトの印刷結果のイメージ図である。図３に示すように、本実施の形態では、印刷オブジェクトの種類は、「写真」、「文字」、「イラスト」、「その他」の４種類が扱われ、オブジェクト種類番号「１」が「写真」、オブジェクト種類番号「２」が「文字」、オブジェクト種類番号「３」が「イラスト」、オブジェクト種類番号「４」が「その他」となっている。
【００５９】
「写真」は、デジタルカメラ等で撮影された写真画像データによる印刷オブジェクトである。例えば、ツールバー１０２の「挿入」メニューを選択することにより表示されるリストボックスの中から「写真」を選択することにより、挿入する写真の画像ファイルを選択する画面（図示外）が表示される。そして、挿入する写真の画像ファイルを指定すると、写真オブジェクトが作業領域１０３上に表示される。図２に示す例では、栗を持っている女の子が写っている写真の写真オブジェクト１１１（スクラップブックイメージ１０１の上部中央）、山と木が写っている写真の写真オブジェクト１１２（スクラップブックイメージ１０１の左下）が作成されている。
【００６０】
また、「文字」は、作業領域１０３上で入力された文字データである。例えば、ツールバー１０２の「挿入」メニューを選択することにより表示されるリストボックスの中から「文字」を選択することにより、文字オブジェクトが表示され、その文字オブジェクトに文字を入力する。尚、この文字オブジェクトでは、文字サイズ、フォント種類、文字オブジェクト内での文字の配置などを指定することができる。また、文字色、下線、白抜き、斜体、太字などの文字修飾設定を行うことができる。図２に示す例では、文字オブジェクト１２１には「栗ひろい」、文字オブジェクト１２２には「２００４．０９．１１  ｓａｔ」の文字が入力されている。
【００６１】
また、「イラスト」は、画像編集ソフト等で作成されたり、スキャナで取り込まれたりした絵や模様などの画像データによるイラストオブジェクトであり、写真の画像データを含まないものである。例えば、ツールバー１０２の「挿入」メニューを選択することにより表示されるリストボックスの中から「イラスト」を選択することにより、挿入するイラストの画像ファイルを選択する画面（図示外）が表示される。そして、挿入するイラストの画像ファイルを指定すると、イラストオブジェクトが作業領域１０３上に表示される。図２に示す例では、スクラップブックイメージ１０１の上端に表示されている波模様のイラストオブジェクト１３１、スクラップブックイメージ１０１の左下に表示されている栗３つのイラストオブジェクト１３２、写真オブジェクト１１１の四隅に配置されている写真枠のイラストオブジェクト１３３，１３４，１３５，１３６が作成されている。
【００６２】
また、「その他」は、スクラップブックの台紙に貼られる現物の代用となる画像データによるその他オブジェクトである。例えば、ツールバー１０２の「挿入」メニューを選択することにより表示されるリストボックスの中から「その他」を選択することにより、挿入するその他オブジェクトを選択する画面（図示外）が表示される。そして、挿入するその他オブジェクトを指定すると、そのその他オブジェクトが作業領域１０３上に表示される（これらの処理を行うＣＰＵ１０が「否印刷物編集手段」に相当する）。図２に示す例では、スクラップブックイメージ１０１の右下にある葉っぱのその他オブジェクト１４１が作成されている。尚、このその他オブジェクトは、スクラップブッキング編集ウィンドウ１００において、完成品のスクラップブックのイメージにより近づけるために配置する印刷オブジェクトであり、印刷されても実際に台紙に貼り付けるわけではない。そこで、本実施の形態では、その他オブジェクトを印刷する際には、作業領域１０３に表示されているイメージのままの画像を印刷するのではなく、図４に示すように、「実際のオブジェクトを貼って下さい！」とのメッセージを記載した画像２４１を印刷する。
【００６３】
次に、図５を参照して、各印刷オブジェクトに関する属性について説明する。スクラップブッキング編集ウィンドウ１００の作業領域１０３に表示されている印刷オブジェクトは、そのオブジェクト種類、配置の階層、台紙に対する配置位置、画像のサイズ（印刷オブジェクトの面積）、画像形成用のドットデータなどが記憶されている。図５は、各印刷オブジェクトに関する属性情報が記憶されているオブジェクト情報記憶エリア１８０の構成を示す模式図であり、例として図２に示したスクラップブックイメージ１０１に表示されている各印刷オブジェクトの属性が示されている。尚、「配置の階層」とは、印刷オブジェクトが重ねて配置されている場合の、重なりの順序を示すものであり、台紙の上に直に貼り付けられる印刷オブジェクトの階層は「１」、その上に重ねて貼り付けられる印刷オブジェクトの階層は「２」、その上に重ねられるものは「３」というように、上に重ねられるにつれて大きい値を取るようになっている。
【００６４】
図５に示すように、オブジェクト情報記憶エリア１８０には、番号欄、種類欄、階層欄、位置（左上）欄、位置（右下）欄、サイズ欄等が設けられている。尚、種類欄には、「写真」、「文字」、「イラスト」、「その他」を示すオブジェクト種類コードがセットされる。本実施の形態では、「写真」は「１」、「文字」は「２」、「イラスト」は「３」、「その他」は「４」としている。１番目の印刷オブジェクトは、オブジェクト種類が「１」の写真オブジェクト１１１、階層が「１」、印刷オブジェクトの左上の位置を示す座標は（１３０，１３０）、右下の位置を示す座標は（４７０，３９０）、印刷オブジェクトのサイズは８８４００である。２番目の印刷オブジェクトは、オブジェクト種類が「１」の写真オブジェクト１１２、階層が「１」、印刷オブジェクトの左上の位置を示す座標は（４０，６２０）、右下の位置を示す座標は（２１０，７４０）、印刷オブジェクトのサイズは２０４００である。３番目の印刷オブジェクトは、オブジェクト種類が「２」の文字オブジェクト１２１、階層が「１」、印刷オブジェクトの左上の位置を示す座標は（１４０，４４０）、右下の位置を示す座標は（４７０，５３０）、印刷オブジェクトのサイズは２９７００である。４番目の印刷オブジェクトは、オブジェクト種類が「２」の文字オブジェクト１２２、階層が「１」、印刷オブジェクトの左上の位置を示す座標は（１８０，５４０）、右下の位置を示す座標は（４４０，５８０）、印刷オブジェクトのサイズは１０４００である。５番目の印刷オブジェクトは、オブジェクト種類が「３」のイラストオブジェクト１３１、階層が「１」、印刷オブジェクトの左上の位置を示す座標は（０，０）、右下の位置を示す座標は（６００，８０）、印刷オブジェクトのサイズは４８０００である。６番目の印刷オブジェクトは、オブジェクト種類が「３」のイラストオブジェクト１３２、階層が「１」、印刷オブジェクトの左上の位置を示す座標は（２０，７８０）、右下の位置を示す座標は（２６０，８６０）、印刷オブジェクトのサイズは１９２００である。７番目の印刷オブジェクトは、オブジェクト種類が「３」のイラストオブジェクト１３３、階層が「２」、印刷オブジェクトの左上の位置を示す座標は（１２０，１２０）、右下の位置を示す座標は（１９０，１９０）、印刷オブジェクトのサイズは４９００である。８番目の印刷オブジェクトは、オブジェクト種類が「３」のイラストオブジェクト１３４、階層が「２」、印刷オブジェクトの左上の位置を示す座標は（４１０，１２０）、右下の位置を示す座標は（４８０，１９０）、印刷オブジェクトのサイズは４９００である。９番目の印刷オブジェクトは、オブジェクト種類が「３」のイラストオブジェクト１３５、階層が「２」、印刷オブジェクトの左上の位置を示す座標は（１２０，３３０）、右下の位置を示す座標は（２１０，４００）、印刷オブジェクトのサイズは６３００である。１０番目の印刷オブジェクトは、オブジェクト種類が「３」のイラストオブジェクト１３６、階層が「２」、印刷オブジェクトの左上の位置を示す座標は（４１０，３３０）、右下の位置を示す座標は（４８０，４００）、印刷オブジェクトのサイズは４９００である。１１番目の印刷オブジェクトは、オブジェクト種類が「４」のその他オブジェクト１４１、階層が「１」、印刷オブジェクトの左上の位置を示す座標は（２９０，５２８）、右下の位置を示す座標は（５６０，８６０）、印刷オブジェクトのサイズは８９６４０である。
【００６５】
尚、各印刷オブジェクトの配置位置はマウス操作により適宜変更可能である。たとえば、マウス３３により印刷オブジェクトを選択し、その印刷オブジェクトをドラッグすることにより、作業領域１０３内を移動させる。そこで、印刷データ編集プログラムにより、作業領域１０３内での表示位置の移動に伴い、表示位置の座標に基づいてオブジェクト情報記憶エリア１８０の位置（左上）欄及び位置（右下）欄の値が更新される（これらの処理を行うＣＰＵ１０が「位置指定手段」に相当する）。また、印刷オブジェクトが選択されている際には、印刷オブジェクトの領域枠をドラッグすることにより印刷オブジェクトのサイズを変更することができる。印刷データ編集プログラムにより、印刷オブジェクトの領域枠のドラッグすることによる作業領域１０３内での表示サイズの変更に伴い、表示位置の座標に基づいてオブジェクト情報記憶エリア１８０の位置（左上）欄及び位置（右下）欄が更新され、位置（左上）欄及び位置（右下）欄の値に基づいてサイズ欄の値が算出される（これらの処理を行うＣＰＵ１０が「サイズ指定手段」に相当する）。
【００６６】
尚、印刷オブジェクトの選択はマウス３３によらず、キーボード３５の操作により行ってもよいことは言うまでもない。また、印刷オブジェクトの位置指定やサイズ指定は、作業領域１０３に表示されている印刷オブジェクトの領域枠を利用して指定するのではなく、印刷オブジェクトの表示位置を示す座標の値、又は、オブジェクト情報記憶エリア１８０の位置（左上）欄及び位置（右下）欄の値を入力する画面（図示外）を表示し、そこに直接、具体的な数値を入力するようにしてもよい（これらの処理を行うＣＰＵ１０が「位置指定手段」及び「サイズ指定手段」に相当する）。尚、印刷オブジェクトの位置を指定する際の基準となる座標は左上や右下でなく、印刷オブジェクトの中央や左下や右上等印刷オブジェクトの任意の１点であってもよい。
【００６７】
次に、図６を参照して、本発明の要部である印刷方法の選択について説明する。図６は、印刷方法の選択を行う印刷方法選択画面２００のイメージ図である。この印刷方法選択画面２００は、スクラップブッキング編集ウィンドウ１００のツールバー１０２で「ファイル」を選択し、そして表示されるリストボックスの中で「印刷」を選択すると表示される。図６に示すように、印刷方法選択画面２００には、４つのラジオボタンが表示されている。１つ目は「オブジェクト種類」、２つ目は「位置」、３つ目は「サイズ」、４つ目は「重なり」、５つめは「選択オブジェクト」である。そして、「ＯＫ」ボタンが設けられている。いずれかのラジオボタンを選択し、「ＯＫ」ボタンを選択すると、選択された条件に基づいて印刷オブジェクトが印刷される。
【００６８】
尚、「オブジェクト種類」が選択されると、「写真オブジェクト」、「文字オブジェクト」、「イラストオブジェクト」、「その他オブジェクト」の順で印刷オブジェクトが順次印刷される。また、「位置」が選択されると、左上に近い位置に配置されている印刷オブジェクトから順に印刷される。また、「サイズ」が選択されると、サイズの大きい印刷オブジェクトから順に印刷される。また、「重なり」が選択されると、階層の低いものから順に印刷される。また、「選択オブジェクト」が選択されると、印刷する印刷オブジェクトを指定するオブジェクト指定画面（図示外）が表示され、その画面で指定されたオブジェクトが印刷される。
【００６９】
次に、図７乃至図１２のフローチャートを参照して、各印刷方法での印刷データの作成について説明する。図７は、印刷指示がなされた際に実行される印刷処理のフローチャートであり、図８は、印刷処理の中で実施される種類別印刷処理のフローチャートであり、図９は、印刷処理の中で実施されるサイズ順印刷処理のフローチャートであり、図１０は、印刷処理の中で実施される重ね順印刷処理のフローチャートであり、図１１は、印刷処理の中で実施される位置順印刷処理のフローチャートであり、図１２は、印刷処理、種類別印刷処理、位置順印刷処理、サイズ順印刷処理、重ね順印刷処理の中で実施される印刷実施処理のフローチャートである。
【００７０】
スクラップブッキング編集ウィンドウ１００のツールバー１０２で「ファイル」が選択され、リストボックスの中で「印刷」が選択されると、図７に示す印刷処理は開始される。そして、印刷方法選択画面２００（図６参照）が表示される（Ｓ１）。そして、印刷方法選択画面２００で「ＯＫ」ボタンが選択された際に、どのラジオボタンが選択されているかの判断が行われる（Ｓ２〜Ｓ５）。ラジオボタンで「オブジェクト種類」が選択されていれば（Ｓ２：ＹＥＳ）、種類別印刷処理が実施され（Ｓ６、図８参照）、印刷処理は終了する。ラジオボタンで「位置」が選択されていれば（Ｓ２：ＮＯ，Ｓ３：ＹＥＳ、図９参照）、位置順印刷処理が実施され（Ｓ７）、印刷処理は終了する。ラジオボタンで「サイズ」が選択されていれば（Ｓ２：ＮＯ，Ｓ３：ＮＯ，Ｓ４：ＹＥＳ）、サイズ順印刷処理が実施され（Ｓ８、図１０参照）、印刷処理は終了する。ラジオボタンで「重なり」が選択されていれば（Ｓ２：ＮＯ，Ｓ３：ＮＯ，Ｓ４：ＮＯ，Ｓ５：ＹＥＳ）、重ね順印刷処理が実施され（Ｓ９、図１１参照）、印刷処理は終了する。ラジオボタンで「選択オブジェクト」が選択されていれば（Ｓ２：ＮＯ，Ｓ３：ＮＯ，Ｓ４：ＮＯ，Ｓ５：ＮＯ）、印刷オブジェクト指定指示画面が表示され、印刷する印刷オブジェクトが指定されたら（Ｓ１０）、印刷実施処理が実施され（Ｓ１１）、印刷処理は終了する。
【００７１】
種類別印刷処理では、オブジェクト種類毎に順に印刷オブジェクトが印刷される。尚、本実施の形態では、オブジェクト種類テーブル記憶エリア１８３に記憶されている順に印刷される。つまり、「写真」を１番目、「文字」を２番目、「イラスト」を３番目、「その他」を４番目に印刷される。そこで、図８に示すように、まず、オブジェクト種類用の変数ｎに初期値の「１」がセットされる（Ｓ２１）。そして、すべてのオブジェクト種類の処理が終了したか否かの判断が、オブジェクト種類用変数ｎの値がオブジェクト種類数「４」より大きいか否かにより行われる（Ｓ２２）。オブジェクト種類用変数ｎが「１」であれば、まだすべてのオブジェクト種類の処理が終わっていないので（Ｓ２２：ＮＯ）、オブジェクト種類テーブルからｎ番目のオブジェクト種類が読み出される（Ｓ２３）。オブジェクト種類用変数ｎの値が「１」であれば、オブジェクト種類「写真」が印刷対象の印刷オブジェクトとして指定されることになる。
【００７２】
そして、すべての印刷オブジェクトのオブジェクト種類が順に確認され、Ｓ２３で読み出されたオブジェクト種類の印刷オブジェクトのみ印刷実施処理が行われる。そこで、印刷オブジェクト用の変数ｍに初期値の「１」がセットされる（Ｓ２４）。そして、印刷オブジェクト用変数ｍの値が全印刷オブジェクト数よりも大きいか否かにより、すべての印刷オブジェクトの処理が終了したか否かの判断が行われ（Ｓ２５）、まだ全ての印刷オブジェクトの処理が終了していなければ（Ｓ２５：ＮＯ）、ｍ番目の印刷オブジェクトがオブジェクト情報記憶エリア１８０から読み出され（Ｓ２６）、オブジェクト種類がＳ２３で指定されているオブジェクト種類（「写真」）であるか否かの判断が行われる（Ｓ２７）。指定されているオブジェクト種類でなければ（Ｓ２７：ＮＯ）、何もせずに、次の印刷オブジェクトの処理を行うために印刷オブジェクト用変数ｍに「１」加算される（Ｓ２９）。また、指定されているオブジェクト種類であれば（Ｓ２７：ＹＥＳ）、印刷実施処理が行われ（Ｓ２８、図１２参照）、次の印刷オブジェクトの処理を行うために印刷オブジェクト用変数ｍに「１」加算される（Ｓ２９）。尚、図１２を参照して、後に詳述するが、印刷実施処理では、印刷データが作成されてプリンタ２へ送信される。
【００７３】
そして、Ｓ２５へ戻り、すべての印刷オブジェクトの処理が終了したか否かの判断が行われる（Ｓ２５）。このようなＳ２５〜Ｓ２９の処理が繰り返されることにより、指定されている印刷オブジェクトのみの印刷データが作成されて、プリンタ２へ送信される。そして、印刷オブジェクト用変数ｍの値が全印刷オブジェクト数よりも大きくなったら（Ｓ２５：ＹＥＳ）、次のオブジェクト種類の処理を行うために、オブジェクト種類用変数ｎに「１」が加算される（Ｓ３０）。そして、Ｓ２２へ戻る。
【００７４】
そして、オブジェクト種類テーブルからｎ番目のオブジェクト種類が読み出される（Ｓ２３）。オブジェクト種類用変数ｎの値が「２」であれば、オブジェクト種類「文字」が印刷対象の印刷オブジェクトとして指定されることになる。そして、全ての印刷オブジェクトに対して、オブジェクト種類が「文字」であるか確認されて、「文字」である印刷オブジェクトのみ印刷実施処理が行われる（Ｓ２４〜Ｓ２９）。そして、さらにオブジェクト種類用変数ｎに「１」が加算され（Ｓ３０，Ｓ２２：ＮＯ）、オブジェクト種類「イラスト」が指定され（Ｓ２３）、全ての印刷オブジェクト種類が「イラスト」であるか確認されて、「イラスト」である印刷オブジェクトのみ印刷実施処理が行われる（Ｓ２４〜Ｓ２９）。そして、さらにオブジェクト種類用変数ｎに「１」が加算され（Ｓ３０，Ｓ２２：ＮＯ）、オブジェクト種類「その他」が指定され（Ｓ２３）、全ての印刷オブジェクト種類が「その他」であるか確認されて、「その他」である印刷オブジェクトのみ印刷実施処理が行われる（Ｓ２４〜Ｓ２９）。そして、さらにオブジェクト種類用変数ｎに「１」が加算され（Ｓ３０）、全オブジェクト種類の処理が終了したら（Ｓ２２：ＹＥＳ）、印刷処理へ戻る。
【００７５】
次に、位置順印刷処理について、図９のフローチャートを参照して説明する。まず、オブジェクト情報記憶エリア１８０に記憶されている各印刷オブジェクトについて、「位置(左上）」欄の座標（Ｘ，Ｙ）が取得され、それぞれについて台紙の左上座標である（０，０）からの距離が算出される（Ｓ６１）。尚、距離は、Ｘ×Ｘ＋Ｙ×Ｙで算出される。次いで、Ｓ６１で算出された距離の短い順（昇順）に各印刷オブジェクトがソートされる（Ｓ６２）。そして、ソート後の印刷オブジェクト用の変数ｑに初期値の「１」がセットされる（Ｓ６３）。そして、印刷オブジェクト用変数ｑの値が全印刷オブジェクト数よりも大きいか否かにより、すべての印刷オブジェクトの処理が終了したか否かの判断が行われ（Ｓ６４）、まだ全ての印刷オブジェクトの処理が終了していなければ（Ｓ６４：ＮＯ）、ソート順がｑ番目のオブジェクトがオブジェクト情報記憶エリア１８０から読み出され（Ｓ６５）、印刷実施処理が行われ（Ｓ６６、図１２参照）、次の印刷オブジェクトの処理を行うために印刷オブジェクト用変数ｑに「１」加算される（Ｓ６７）。尚、図１２を参照して、後に詳述するが、印刷実施処理では、印刷データが作成されてプリンタ２へ送信される。
【００７６】
そして、Ｓ６４へ戻り、すべての印刷オブジェクトの処理が終了したか否かの判断が行われる（Ｓ６４）。このようなＳ６４〜Ｓ６７の処理が繰り返されることにより、より左上に近い位置に配置された印刷オブジェクトから順に印刷データが作成されて、プリンタ２へ送信される。そして、印刷オブジェクト用変数ｑの値が全印刷オブジェクト数よりも大きくなったら（Ｓ６４：ＹＥＳ）、印刷処理へ戻る。尚、等距離となる印刷オブジェクトが複数あるときには、現在のオブジェクト情報記憶エリア１８０への登録順とする。また、別の実施例として、等距離となる印刷オブジェクトが複数あるときの処理として、より左側の印刷オブジェクトから印刷させるような順でソートしてもよい。
【００７７】
次に、サイズ順印刷処理について、図１０のフローチャートを参照して説明する。まず、オブジェクト情報記憶エリア１８０に記憶されている各印刷オブジェクトについて、「サイズ」欄の値が取得される（Ｓ７１）。次いで、Ｓ７１で取得されたサイズの大きい順（降順）に各印刷オブジェクトがソートされる（Ｓ７２）。そして、ソート後の印刷オブジェクト用の変数ｑに初期値の「１」がセットされる（Ｓ７３）。そして、印刷オブジェクト用変数ｑの値が全印刷オブジェクト数よりも大きいか否かにより、すべての印刷オブジェクトの処理が終了したか否かの判断が行われ（Ｓ７４）、まだ全ての印刷オブジェクトの処理が終了していなければ（Ｓ７４：ＮＯ）、ソート順がｑ番目の印刷オブジェクトがオブジェクト情報記憶エリア１８０から読み出され（Ｓ７５）、印刷実施処理が行われ（Ｓ７６、図１２参照）、次の印刷オブジェクトの処理を行うために印刷オブジェクト用変数ｑに「１」加算される（Ｓ７７）。尚、図１２を参照して、後に詳述するが、印刷実施処理では、印刷データが作成されてプリンタ２へ送信される。
【００７８】
そして、Ｓ７４へ戻り、すべての印刷オブジェクトの処理が終了したか否かの判断が行われる（Ｓ７４）。このようなＳ７４〜Ｓ７７の処理が繰り返されることにより、サイズの大きい印刷オブジェクト順に印刷データが作成されて、プリンタ２へ送信される。そして、印刷オブジェクト用変数ｑの値が全印刷オブジェクト数よりも大きくなったら（Ｓ７４：ＹＥＳ）、印刷処理へ戻る。尚、サイズが等しいオブジェクトが複数あるときは、現在のオブジェクト情報記憶エリア１８０への登録順とする。
【００７９】
次に、重ね印刷処理について、図１１のフローチャートを参照して説明する。まず、オブジェクト情報記憶エリア１８０の階層欄から最高階層値が取得される（Ｓ４１）。図５に示す例では「２」である。そして、階層用変数ｐに初期値の「１」がセットされる（Ｓ４２）。そして、階層用変数ｐの値が最高階層値よりも大きいか否かにより、全ての階層の処理が終了したか否かの判断が行われる（Ｓ４３）。すべての階層の処理が終了していなければ（Ｓ４３：ＮＯ）、すべての印刷オブジェクトの階層が順に確認され、階層用変数ｐと同じ階層の印刷オブジェクトのみ印刷実施処理が行われる。
【００８０】
そこで、印刷オブジェクト用の変数ｍに初期値の「１」がセットされる（Ｓ４４）。そして、印刷オブジェクト用変数ｍの値が全印刷オブジェクト数よりも大きいか否かにより、すべての印刷オブジェクトの処理が終了したか否かの判断が行われ（Ｓ４５）、まだ全ての印刷オブジェクトの処理が終了していなければ（Ｓ４５：ＮＯ）、ｍ番目の印刷オブジェクトがオブジェクト情報記憶エリア１８０から読み出され（Ｓ４６）、階層が階層用変数ｐと同じ階層（階層「１」）であるか否かの判断が行われる（Ｓ４７）。階層用変数ｐと同じ階層（階層「１」）でなければ（Ｓ４７：ＮＯ）、何もせずに、次の印刷オブジェクトの処理を行うために印刷オブジェクト用変数ｍに「１」加算される（Ｓ４９）。また、階層用変数ｐと同じ階層（階層「１」）であれば（Ｓ４７：ＹＥＳ）、印刷実施処理が行われ（Ｓ４８、図１２参照）、次の印刷オブジェクトの処理を行うために印刷オブジェクト用変数ｍに「１」加算される（Ｓ４９）。尚、図１２を参照して、後に詳述するが、印刷実施処理では、印刷データが作成されてプリンタ２へ送信される。
【００８１】
そして、Ｓ４５へ戻り、すべての印刷オブジェクトの処理が終了したか否かの判断が行われる（Ｓ４５）。このようなＳ４５〜Ｓ４９の処理が繰り返されることにより、指定されている印刷オブジェクトのみの印刷データが作成されて、プリンタ２へ送信される。そして、印刷オブジェクト用変数ｍの値が全印刷オブジェクト数よりも大きくなったら（Ｓ４５：ＹＥＳ）、次の階層の処理を行うために、階層用変数ｐに「１」が加算される（Ｓ５０）。そして、Ｓ４２へ戻る。
【００８２】
そして、全ての印刷オブジェクトに対して階層用変数ｐと同じ階層（階層「２」）であるか確認されて、階層用変数ｐと同じ階層（階層「２」）である印刷オブジェクトのみ印刷実施処理が行われる（Ｓ４４〜Ｓ４９）。そして、さらに階層用変数ｐに「１」が加算され（Ｓ５０）、階層用変数ｐが最高階層値（「３」）よりも大きくなり、すべての階層についての処理が終了したと判断され（Ｓ４３：ＹＥＳ）、印刷処理へ戻る。
【００８３】
次に、印刷実施処理について、図１２のフローチャートを参照して説明する。まず、印刷実行処理の対象となった印刷オブジェクトのオブジェクト種類が「その他（４）」であるか否かの判断が行われる（Ｓ８１）。「その他」でなければ（Ｓ８１：ＮＯ）、スクラップブッキング編集ウィンドウ１００の作業領域１０３に表示されている印刷オブジェクトのままの印刷データが作成され（Ｓ８２)、プリンタ２へ印刷データが送信される（Ｓ８４）。また、オブジェクト種類が「その他」であれば（Ｓ８１：ＹＥＳ）、その印刷オブジェクトは印刷されても、台紙に貼り付けてはいけないもののなので、スクラップブックの作製者に注意を喚起するために、作業領域１０３に表示されている画像の上に「実際のオブジェクトを貼って下さい！」の文字オブジェクトを追加した加工データの印刷データが作成される（Ｓ８３）。そして、プリンタ２へ印刷データが送信される（Ｓ８４）。
【００８４】
以上のようにして、印刷の指示がされると、印刷方法選択画面２００により印刷方法の指定が行われ、スクラップブックの作製者が印刷された印刷オブジェクトを台紙に貼り付けやすい順で印刷を行うことができる。
【００８５】
尚、スクラップブッキング編集ウィンドウ１００を表示させ、マウス３５やキーボード２５からの入力に応じて作業領域１０３へ印刷オブジェクトを表示させたり、表示されている印刷オブジェクトの編集を行ったりする処理を行うＣＰＵ１０が「印刷オブジェクト編集手段」に相当し、印刷方法選択画面２００が「印刷指示手段」に相当し、また、図８に示す種類別印刷処理、図９に示す位置順印刷処理、図１０に示すサイズ順印刷処理、図１１に示す重ね順印刷処理を行うＣＰＵ１０が「印刷順序決定手段」に相当する。また、図１２に示す印刷実施処理のＳ８２及びＳ８３の処理を行うＣＰＵ１０が「印刷データ作成手段」に相当する。
【００８６】
尚、本発明の印刷データ編集装置及び印刷データ編集プログラムは、上記した実施の形態に限定されるものではなく、本発明の要旨を逸脱しない範囲内において種々変更を加え得ることは勿論である。上記実施の形態では、印刷実行処理において、その他オブジェクトを印刷する際に、「実際のオブジェクトを貼って下さい！」の文字オブジェクトを追加しているが、オブジェクト種類が「その他」であった場合には（Ｓ８１：ＮＯ）、何もせずに処理を終了させるようにして、その他オブジェクトを印刷させないようにしてもよい（「印刷データ否作成手段」に相当）。
【００８７】
また、上記実施の形態では、印刷順序を１つの項目についてしか指定していないが、印刷順序を決定する優先順位を指定するようにしてもよい。例えば、優先順位１位を「オブジェクト種類」、２位を「重なり」とする。これにより、印刷オブジェクトはオブジェクト種類ごとに印刷されるが、同じ印刷オブジェクトであっても属性の低いものから順に印刷することができる。
【産業上の利用可能性】
【００８８】
本発明の印刷データ編集装置及び印刷データ編集プログラムは、編集画面に表示されている印刷オブジェクトを編集画面のイメージのままでなく、オブジェクト毎に印刷させる印刷データ編集装置及び印刷データ編集プログラムに適応可能である。
【図面の簡単な説明】
【００８９】
【図１】印刷データ編集装置１の電気的構成を示すブロック図である。
【図２】スクラップブッキング編集ウィンドウ１００のイメージ図である。
【図３】オブジェクト種類テーブル記憶エリア１８３の構成を示す模式図である。
【図４】その他オブジェクトの印刷結果のイメージ図である。
【図５】オブジェクト情報記憶エリア１８０の構成を示す模式図である。
【図６】印刷方法の選択を行う印刷方法選択画面２００のイメージ図である。
【図７】印刷指示がなされた際に実行される印刷処理のフローチャートである。
【図８】印刷処理の中で実施される種類別印刷処理のフローチャートである。
【図９】印刷処理の中で実施されるサイズ順印刷処理のフローチャートである。
【図１０】印刷処理の中で実施される重ね順印刷処理のフローチャートである。
【図１１】印刷処理の中で実施される位置順印刷処理のフローチャートである。
【図１２】印刷処理、種類別印刷処理、位置順印刷処理、サイズ順印刷処理、重ね順印刷処理の中で実施される印刷実施処理のフローチャートである。
【符号の説明】
【００９０】
１  印刷データ編集装置
２  プリンタ
１８  ハードディスク装置
１００  スクラップブッキング編集ウィンドウ
１０１  スクラップブックイメージ
１０３  作業領域
１１１  写真オブジェクト
１１２  写真オブジェクト
１２１  文字オブジェクト
１２２  文字オブジェクト
１３１  イラストオブジェクト
１３２  イラストオブジェクト
１３３  イラストオブジェクト
１３４  イラストオブジェクト
１３５  イラストオブジェクト
１３６  イラストオブジェクト
１４１  その他オブジェクト
１８０  オブジェクト情報記憶エリア
２００  印刷方法選択画面
【図１】
2006101390.tif 000003
【図２】
2006101390.tif 000004
【図３】
2006101390.tif 000005
【図４】
2006101390.tif 000006
【図５】
2006101390.tif 000007
【図６】
2006101390.tif 000008
【図７】
2006101390.tif 000009
【図８】
2006101390.tif 000010
【図９】
2006101390.tif 000011
【図１０】
2006101390.tif 000012
【図１１】
2006101390.tif 000013
【図１２】
2006101390.tif 000014